(57)【特許請求の範囲】
【請求項１】
一つのリモコンコードの受信に伴って少なくとも点灯制御および消灯制御可能である照明器具に対応するリモートコントローラであって、形式が異なる各種の照明器具に対応する複数のリモコンコードを集めてなるリモコンコードライブラリ及びそのリモコンライブラリから選択された一つのリモコンコードを記憶する記憶部と、人体からの赤外線を検知する人体検知部と、操作するたびに前記記憶部に記憶され選択された一つのリモコンコードを送信する第１ボタンと、操作した時点から所定の遅れ時間を設けて照明器具を自動消灯させるとともに、当該リモートコントローラを前記人体検知部による人体の検知を待ち受ける自動照明モードに設定する第２ボタンとを有し、自動照明モードでは、前記人体検知部が人体を検知したときには、照明器具を自動点灯させるために必要なリモコンコードを送信し、また、前記人体検知部が最後に人体を検知した時点から消し忘れ防止設定時間を計数してその間に人体を検知しなかったときには、照明器具を自動消灯させるために必要なリモコンコードを送信し、さらに、前記消し忘れ防止設定時間の間に前記人体検知部が人体を検知したときには、前記消し忘れ防止設定時間の計数を元に戻して前記人体検知部による人体の検知を待ち受ける動作を繰り返すような制御を行う消し忘れ防止機能を有するリモコン制御部を設けていることを特徴とする自動照明リモコン。
【請求項２】
前記照明器具を自動消灯させるために必要なリモコンコードが、前記一つのリモコンコードを必要な回数だけ続けて送信されるものである請求項１に記載の自動照明リモコン。
【請求項３】
操作することにより前記記憶部のリモコンライブラリに記憶されている複数のリモコンコードを切換え可能とする設定ボタンを有し、この設定ボタンを操作しながら前記第１ボタンを操作することにより前記複数のリモコンコードを順次切換えながら送信するリモコンコード設定機能を備えている請求項１または２に記載の自動照明リモコン。
【請求項４】
操作することにより照明器具を自動消灯させるために必要なリモコンコードの送信回数を設定可能とする設定ボタンを有し、この設定ボタンを操作しながら前記第２ボタンを操作する度にリモコンコードを送信すると共にその送信回数を計数することにより点灯状態の照明器具を自動消灯させるために必要なリモコンコードの送信回数を設定可能とするサイクル数設定機能を備えている請求項１〜３の何れかに記載の自動照明リモコン。
【発明の詳細な説明】
【０００１】
【発明の属する技術分野】
この発明は、家電メーカーおよび型式が異なるタイプの照明器具に対応できる新規な自動照明リモコンに関する。
【０００２】
【従来の技術】
従来より家電メーカー各社は、あらゆる電気製品にこれを遠隔操作するリモートコントローラ（以下、リモコンという）を添付して販売している。また、これらの電化製品の操作は、当然のことながら家電メーカー各社専用の命令信号（リモコンコード）を送信することによって行われている。したがって、ある家電メーカーのリモコンを用いて他の家電メーカーの電気製品を制御することはできなかった。
【０００３】
ところで、従来より各家電メーカーのテレビやビデオのリモコンコードを記憶させて、これを選択することにより各家電メーカーのテレビやビデオを制御することができる万能リモコンと呼ばれるリモコンが実用化されている。また、この万能リモコンに特定の照明器具に対応させるための機能を付加させたものもある。
【０００４】
【発明が解決しようとする課題】
しかしながら、いわゆる万能リモコンのリモコンコードを設定する動作（以下、プリセット操作という）は複雑で煩わしいものであった。すなわち、プリセット操作は、例えば使用者が最初に万能リモコンに添付している各電気製品のリモコンコードの対応表を見ながらテレビやビデオのチャンネル設定用のテンキー等を操作して幾つかのメーカー識別コードを入力する必要があった。
【０００５】
前記リモコンコードの対応表は例えば「○○社の平成元年〜平成４年に製造のビデオ」に対応するメーカー識別コードは「１２３」といった具合に、使用者にとって分かりづらいものであった。同様に、天井に取り付けられた照明器具のメーカーを確認することが煩わしいだけでなく、その製造年度を確認するためには保証書や説明書などを探し出す必要がある。
【０００６】
また、使用者によってはテンキーや多数のキーを見ただけで難しいという先入観があって、万能リモコンの操作を最初から諦める傾向がある一方、キーの数が少なければ前記プリセット操作が行えないというジレンマがあった。さらに、プリセット操作にはメーカー識別コードを入力する必要があるので、各電気製品のリモコンコードの対応表を汚したり、紛失することにより、プリセット操作が行えなくなる可能性もあった。
【０００７】
一方、近年は使用者がより簡単に電気製品を制御できるように、照明器具用などの比較的簡単な電気製品の制御を行なうリモコンには、リモコンに多数のキーを設けるのではなく、１〜３個程度のキーを設けたものが多くなっている。つまり、照明器具の場合は一つの順送りボタンの操作で一つのリモコンコードを送信するごとに、例えば『全灯』→『減灯』→『豆灯』→『消灯』→『全灯』…のサイクルで照明器具を制御可能とするような、順送り制御を行ういわゆるサイクル式照明器具が多くなっている。ところが、前記サイクル式照明器具を操作するときは、例えば全灯状態にある照明器具を消灯させるためには前記順送りボタンを３回押し操作する必要があり、これが煩わしい場合があった。
【０００８】
本発明は、上述の事柄を考慮に入れてなされたものであって、少ないボタンを有するだけで家電メーカーおよび型式が異なるタイプの照明器具に容易に対応できると共に、人の動きに合わせて照明器具を制御する機能を強化した自動照明リモコンを提供することを目的としている。
【０００９】
【課題を解決するための手段】
上記目的を達成するため、この発明の自動照明リモコンは、一つのリモコンコードの受信に伴って少なくとも点灯制御および消灯制御可能である照明器具に対応するリモートコントローラであって、形式が異なる各種の照明器具に対応する複数のリモコンコードを集めてなるリモコンコードライブラリ及びそのリモコンライブラリから選択された一つのリモコンコードを記憶する記憶部と、人体からの赤外線を検知する人体検知部と、操作するたびに前記記憶部に記憶され選択された一つのリモコンコードを送信する第１ボタンと、操作した時点から所定の遅れ時間を設けて照明器具を自動消灯させるとともに、当該リモートコントローラを前記人体検知部による人体の検知を待ち受ける自動照明モードに設定する第２ボタンとを有し、自動照明モードでは、前記人体検知部が人体を検知したときには、照明器具を自動点灯させるために必要なリモコンコードを送信し、また、前記人体検知部が最後に人体を検知した時点から消し忘れ防止設定時間を計数してその間に人体を検知しなかったときには、照明器具を自動消灯させるために必要なリモコンコードを送信し、さらに、前記消し忘れ防止設定時間の間に前記人体検知部が人体を検知したときには、前記消し忘れ防止設定時間の計数を元に戻して前記人体検知部による人体の検知を待ち受ける動作を繰り返すような制御を行う消し忘れ防止機能を有するリモコン制御部を設けていることを特徴としている。
【００１０】
前記構成の自動照明リモコンを用いることにより、第２ボタンを１回操作するだけで、使用者が第２ボタンを操作した時点から数えて数秒〜数十秒程度の短い時間を経た後に照明器具を自動消灯させることができ、その後の自動照明モードでは人体検知部が人体を検知した時点で照明器具を自動点灯させることができる。すなわち、使用者は第２ボタンを１回だけ押してから就寝したり、退室することにより、就寝または退室動作をするための短い時間だけ明かりを確保して照明器具を自動消灯させることが可能となり、人が全くいない状態における照明器具の不要な点灯を避けることにより、照明器具の消し忘れ防止を確実に行うことができる。
【００１１】
本発明の自動照明リモコンにおいて、前記照明器具を消灯させるために必要なリモコンコードが、前記一つのリモコンコードを必要な回数だけ続けて送信されるものとすることにより、照明器具を確実に消灯制御することができる。
【００１２】
また、本発明の自動照明リモコンにおいて、操作することにより前記記憶部のリモコンライブラリに記憶されている複数のリモコンコードを切換え可能とする設定ボタンを有し、この設定ボタンを操作しながら前記第１ボタンを操作することにより前記複数のリモコンコードを順次切換えながら送信するリモコンコード設定機能を備えている場合には、使用者はリモコンコードを切換ながら切り換えられたリモコンコードが制御対象である照明器具に対応するものかどうかを確認することができ、リモコンコードのプリセット操作を僅か２つのボタン操作によって極めて簡単に行うことができる。
【００１３】
さらに、本発明の自動照明リモコンにおいて、操作することにより照明器具を自動消灯させるために必要なリモコンコードの送信回数を設定可能とする設定ボタンを有し、この設定ボタンを操作しながら前記第２ボタンを操作する度にリモコンコードを送信すると共にその送信回数を計数することにより点灯状態の照明器具を自動消灯させるために必要なリモコンコードの送信回数を設定可能とするサイクル数設定機能を備えている場合には、使用者は照明器具の操作のサイクル数に合わせたリモコンのプリセット操作を僅か２つのボタン操作によって極めて簡単に行うことができる。
【００１４】
【００１５】
【発明の実施の形態】
図１，２は、本発明の自動照明リモコンの構成の一例を示す全体図である。図１，２において、１は自動照明リモコン、２はこの自動照明リモコン１による制御対象となる照明器具である。
【００１６】
本例の自動照明リモコン１は、照明器具２に所定のリモコンコードＳｘを送信すると共にリモコン１の各部の制御を行うリモコン制御部３と、照明器具２を制御するためのリモコンコードＳｘを含めたリモコンコードＳ1 ，…を記憶する記憶部４と、人体Ｈからの赤外線Ｌ1 を検知する人体検知部５と、各種入力ボタン６ａ，６ｂ，６ｃを有するキーボード６と、周囲照度を計測する照度センサ７と、前記リモコンコードＳｘを近赤外線Ｌ2 にして発光する発光ダイオード８と、自動照明リモコン１の状態を表示する表示ＬＥＤ９とを有している。
【００１７】
なお、発光ダイオード８は自動照明リモコン１を水平面に載置した状態および壁面に取り付けた状態で斜め４５°上方向を中心に波長約０．７〜１．３μｍの近赤外線Ｌ2 を放射するように実装されることにより、照明器具２に対してより良く近赤外線Ｌ2 が届くように構成されている。
【００１８】
一方、照明器具２は各家電メーカーで任意の構成を有するが、例えば前記近赤外線Ｌ2 の受光素子２ａと、受信した近赤外線Ｌ2 のリモコンコードＳｘを受信する受信部２ｂと、蛍光灯や豆灯などの発光体２ｃと、前記リモコンコードＳｘの受信に伴って発光体２ｃに供給する電力を調節する電力制御部２ｄとを有している。電力制御部２ｄによる制御は例えば全灯状態と、減灯状態と、豆灯状態および消灯状態があり、本例の照明器具２の場合は、４サイクルの順送り制御を行っている。
【００１９】
前記記憶部４には、例えば各家電メーカーの照明器具２に対応するための各種のリモコンコードＳ1 ，Ｓ2 …を集めてなるリモコンコードライブラリ４ａを記憶すると共に、この自動照明リモコン１によって選択された一つのリモコンコードＳｘを記憶するチャンネル設定４ｂと、制御対象となる照明器具２のステップ数を記憶するステップ設定４ｃと、後述する自動照明モードにおける照明器具２の点灯時間Ｔ2 を示す切り忘れ防止タイマー設定４ｄとを記憶する。
【００２０】
なお、記憶部４はフラッシュメモリやバックアップ電源を設けたメモリなどの不揮発性を有するメモリであることが望ましく、特にリモコンコードライブラリ４ａはＲＯＭに焼き付けていることが望ましい。一方、各種設定４ｂ，４ｃ，４ｄは制御部３によって書換え可能である必要がある。
【００２１】
前記人体検知部５は、例えば人体Ｈが放射する波長約１０μｍの赤外線Ｌ1 をフレネルレンズ５ａを介して入射してこれを検知するパイロセンサ５ｂと、このパイロセンサ（人体検知センサ）５ｂからの出力信号の例えば０．５〜５Ｈｚの周波数の信号だけを増幅してこれが一定値以上になったことにより、人体検知を行なう人体検知回路５ｃとを有している。
【００２２】
また、前記キーボード６は自動照明リモコン１のプリセット操作を行うためのプリセットボタン（設定ボタン）６ａと、操作するたびに前記記憶部３に選択され記憶した一つの照明器具２のリモコンコードＳｘを送信する順送りボタン（第１ボタン）６ｂと、操作した時点から所定の遅れ時間Ｔ1 （後に詳述する）を経過後に後述するステップ数の回数だけリモコンコードＳｘを送信して照明器具２を自動消灯させると共に自動照明リモコン１を前記人体検知部５による人体の検知を待ち受ける自動照明モードに設定するオートボタン（第２ボタン）とからなっている。
【００２３】
前記照度センサ７にはその光入射窓を塞ぐための遮光シール７ａを設けている。つまり、この遮光シール７ａを取り外すことにより、周囲照度が所定値以上のときには、たとえ自動照明リモコン１が自動照明モードに設定されていたとしても、人体検知によって自動的に照明器具２を点灯させることがないように設定可能に構成している。
【００２４】
図３は本例の自動照明リモコン１の動作を説明する図である。図３において、図１，２と同じ符号を付した部分は同一または同等の部分であるからその詳細な説明を省略する。以下、前記構成の自動照明リモコン１の動作について、図１〜３を参照しながら説明する。
【００２５】
図３において、時点ｔ1 〜ｔ4 に示すように、使用者が前記順送りボタン６ｂを操作すると、自動照明リモコン１はそのたびに前記記憶部４のチャンネル設定４ｂに選択され記憶した照明器具２の一つのリモコンコードＳｘを送信する。例えば、照明器具２が全灯状態になっている場合、順送りボタン６ｂを１回押すと前記照明器具２が減灯状態になり（時点ｔ1 ）、この状態から順送りボタン６ｂを１回押すと前記照明器具２が豆灯状態になり（時点ｔ2 ）、さらに、この状態から順送りボタン６ｂを１回押すと前記照明器具２が消灯状態になり（時点ｔ3 ）、もう一度順送りボタン６ｂを１回押すと前記照明器具２が元の全灯状態に戻る（時点ｔ4 ）ように順送り制御される。
【００２６】
また、時点ｔ5 に示すように、使用者が前記オートボタン６ｃを操作すると、自動照明リモコン１はこの時点から短い遅れ時間Ｔ1 を数えて、照明器具２を消灯させるために必要なステップ数の回数（サイクル数−１であり、本例の場合３回である）だけリモコンコードＳｘを照明器具２に送信する。すなわち、前記照明器具２が全灯状態になっている場合、オートボタン６ｃを１回押すだけで、押した時点から短い時間Ｔ1 だけ経過した後に『減灯』→『豆灯』→『消灯』の順で前記照明器具２が消灯する。
【００２７】
前記短い遅れ時間Ｔ1 は、リモコン制御部３内に設けたタイマーにあらかじめ設定されるものであり、数秒〜数十秒の短い時間である。なお、この短い遅れ時間Ｔ1 は、５〜６０秒であることが望ましく、特に１０秒程度であることが好ましい。
【００２８】
つまり、オートボタン６ｃを操作した時点ｔ5 から１０秒後に消灯する場合には、例えば夜間の退室時に明るい状態で部屋を出ることができ、かつ、１０秒後にはこの照明を消灯することができる。あるいは、寝室においてはオートボタン６ｃを操作して就寝することにより、床に就いた後に自動的に照明を消灯することが可能となる。加えて、この１０秒以内に人体検知範囲から退出して、次の人体検知に備えることができる。
【００２９】
さらに、照明器具２を一度消灯させた後は、人体検知部５による人体Ｈの検知を待ち受ける自動照明モードに切り換えられる。すなわち、使用者が自動照明モードに切り換えられた自動照明リモコン１に再び近づいた瞬間ｔ6 に、人体検知部５が人体Ｈを検知して、自動照明リモコン１が照明器具２を点灯させるために必要なリモコンコードＳｘを送信する。つまり、夜間の入室時にも、夜中に用を足すために立ち上がったときにも自動的に照明器具２を点灯させることができる。
【００３０】
また、自動照明モードに切り換えられた自動照明リモコン１は最後に人を検知した時点ｔ6 から消し忘れ防止タイマー設定４ｄが示す比較的長い時間Ｔ2 （デフォルトは例えば３０分）をリモコン制御部の消し忘れ防止タイマーによって計数しながら人体検知を待ち受けて、その間に人を一度も検知しなかった場合に、照明器具を消灯させるために必要な回数のリモコンコードＳｘを送信する。一方、消し忘れ防止タイマー設定４ｄが示す時間Ｔ2 の間に人が検知された場合（時間ｔ7 ）には、消し忘れ防止タイマーのカウントを元に戻して再び人体検知を待ち受ける動作を繰り返す。
【００３１】
すなわち、本発明の自動照明リモコン１は人体検知部５との組み合わせによる消し忘れ防止タイマーを設けることにより、部屋が無人になった時点から長い消し忘れ防止時間Ｔ2 （３０分）後には、確実に照明器具２を消灯させることができ、この照明器具２の消し忘れを効果的に防止できる。
【００３２】
なお、消し忘れ防止時間Ｔ2 の設定は前記オートボタン６ｃと順送りボタン６ｂの操作によって任意に変更設定が可能である。その変更方法は例えば以下のとおりである。
【００３３】
まず、前記オートボタン６ｃを３秒間以上押しつづけ、表示ＬＥＤ９の点灯を確認する。次いで、オートボタン６ｃを押しながら、順送りボタン６ｂを押すごとに、例えば消し忘れ防止時間Ｔ2 を数十秒〜数時間に設定変えすることができる。この設定時間Ｔ2 は例えばデフォルトの３０分から１０秒→３０秒→６０秒→５分→１時間→３０分…と変化するように消し忘れ防止タイマー設定４ｄを変えるようにしてもよい。
【００３４】
すなわち、リビングルームのような場所に設置される照明器具２の場合には長い消し忘れ防止時間Ｔ2 をデフォルトの３０分よりも長く設定することも可能であり、手洗いのような場所に設置される照明器具２の場合には数十秒程度の比較的短い消し忘れ防止時間Ｔ2 を設定することが望ましい。何れにしても人の動きに合わせた照明器具２の点灯および消灯を行うので、自動照明モードの設定は極めて有用なものとなる。
【００３５】
一方、自動照明モードになっている自動照明リモコン１の順送りボタン６ｂを操作した時には、自動照明リモコン１は自動照明モードを解除して、照明器具２を送り制御し、以後は人体検知を行ってもリモコンコードＳｘの送信は行わないようにすることが可能である。
【００３６】
つまり、本発明の自動照明リモコン１を用いることにより暮らしの中の照明をさらに快適に、かつ、多機能に変えることができる。
【００３７】
前記プリセットボタン６ａは、これを操作することにより、リモコンコードＳｘを切換え可能とする機能を有するものである。つまり、使用者が本発明の自動照明リモコン１を最初に使用するときには、まず、プリセットボタン６ａを操作して、リモコンコードの選択などのプリセット操作を行う必要がある。
【００３８】
以下に、自動照明リモコン１のリモコンコードＳｘを照明器具２に適合させるための手順の一例を説明する。
【００３９】
まず、使用者は照明器具２の純正のリモコン（図外）の順送りボタンを用いて、照明器具を例えば消灯状態にする。
【００４０】
次いで、自動照明リモコン１に備わっている前記プリセットボタン６ａを例えば３秒以上押し続けて自動照明リモコン１をプリセット状態にする。このとき例えば表示ＬＥＤ９を点灯させて、プリセット状態であることを表示する。
【００４１】
そして、プリセットボタン６ａを押しながら、前記順送りボタン６ｂを任意の間隔、例えばほぼ１秒間おき程度の間隔をおいて順次押していく。このとき、前記リモコン制御部３は記憶部４に記憶されたリモコンコードライブラリ４ａの中から１つのリモコンコードＳ1 …を順次取り出してチャンネル設定４ｂに書き込むとともに、このリモコンコードＳ1 ，…を発光ダイオード８から送信する。
【００４２】
つまり、リモコンコードライブラリ４ａに含まれる全てのリモコンコードＳ1 ，…を順次切換えながら送信して、照明器具２との整合性を順次試すことができる。そして、照明器具２が反応して全灯状態になったところで順送りボタン６ｂの押し操作を終えると共に、前記プリセットボタン６ａの押し操作も終える。
【００４３】
この時の順送りボタン６ｂの押し操作の回数は、通常は家電メーカーによって異なっており、例えば、家電メーカーａ社の照明器具２では、前記順送りボタン６ｂの最初の押し操作で照明器具２が全灯状態になっても、家電メーカーｂ社の照明器具では、３回目の押し操作で始めて照明器具が全灯状態になることなどが考えられる。何れにしても順送りボタン６ｂの押し操作に伴って照明器具に変化が生じたときにリモコンコードの整合がとれたことになり、リモコンコードＳｘを決定し、これをチャンネル設定４ｂに記録するプリセット操作を行なうことができる。
【００４４】
なお、本例の説明では順送りボタン６ｂの押し操作の回数によってリモコンコードＳｘのプリセット操作を行う例を開示しているが、本発明はこれに限られるものではない。すなわち、プリセットボタン６ａと順送りボタン６ｂを押しつづけることにより順次異なるリモコンコードＳ1 ，Ｓ2 …を送信し、使用者が、照明器具２が点灯することを見てプリセットボタン６ａと順送りボタン６ｂの押操作を終えることを確認して、照明器具２に整合するリモコンコードＳｘの選択を行うようにしてもよい。
【００４５】
さらに、上述の例では照明器具２が消灯状態から全灯状態に切り替わる変化を見てリモコンコードＳｘが整合したことを確認する例を挙げているが、本発明はこの手順を限定するものではない。すなわち、照明器具２が減灯状態から豆灯状態に切り替わる変化や、豆灯状態から消灯状態に切り替わる変化を用いてリモコンコードＳｘが整合したことを確認するようにしてもよい。
【００４６】
とりわけ、前記発光体２ｃが蛍光灯の場合には、電力制御部２ｄの動作に対して蛍光灯の点灯が遅れるので、消灯状態から全灯状態になることによってリモコンコードＳｘの整合性を確認するよりも、直ちに変化が現れるその変化を見て整合性を確認する方が望ましい。また、全灯状態から減灯状態への変化のような分かりにくい変化よりもはっきり識別できる変化をもってリモコンコードＳｘの整合性を確認するほうがよい。加えて、前記プリセット操作において試されるリモコンコードＳ1 ，Ｓ2 …の順番は、生産台数の多いものから順に並べられていることが望ましい。
【００４７】
本発明の自動照明リモコン１は各種の照明器具２に対して一つしかない順送りの制御を行なうリモコンコードＳ1 ，Ｓ2 …を用いて照明器具とのリモコンコードの整合性を確認するので、照明器具２に適合するリモコンコードＳｘを迅速かつ容易に見つけることができる。とりわけ、使用者は従来例に示したテレビやビデオ用のリモコンのように、プリセット操作のためのリモコンコードの対応表などを用いる必要が一切なく、多数のキー入力を行う必要もないので、極めて容易にプリセット操作を行うことができる。そして、使用者は従来のように照明器具２のメーカーや製造年度を確認する必要もない。
【００４８】
次に、照明器具２のステップ数またはサイクル数をステップ設定４ｃに設定するプリセット操作の例を説明する。なお、前記リモコンコードＳｘの設定によってステップ数が特定できる場合には、このステップ数をリモコンコードライブラリ４ａに記録しておき、リモコンコードＳｘの設定とともに照明器具２のステップ設定４ｃも同時に行えるようにしてもよい。
【００４９】
照明器具２のステップ数をステップ設定４ｃに設定する場合には、使用者はまず、照明器具２を、順送りボタン６ｂなどを用いて全灯状態などの分かりやすい状態にする。
【００５０】
次いで、使用者は前記プリセットボタン６ａを例えば３秒以上押し続けて自動照明リモコン１をプリセット状態にし、このプリセットボタン６ａを押しながら、前記オートボタン６ｃを任意の間隔、例えばほぼ１秒間おき程度の間隔をおいて順次押して、照明器具２を減灯状態、豆灯状態、消灯状態、そして、元の全灯状態に戻す。
【００５１】
このとき、前記リモコン制御部３はプリセットボタン６ａと同時にオートボタン６ｃが押されるたびに既に選択したリモコンコードＳｘを送信して、照明器具２を制御すると共に、オートボタン６ｃが押される回数を計数する。すなわち、本例では、照明器具２のサイクルが上述しているように、『全灯』→『減灯』→『豆灯』→『消灯』→『全灯』…であるから、照明器具２がもとの全灯状態に戻るまでにはオートボタン６ｃを４回押す必要がある。
【００５２】
そして、使用者は照明器具２がもとの全灯状態に戻ったことを確認してプリセットボタン６ａとオートボタン６ｃを放すことにより、自動照明リモコン１は計数を終了し、照明器具２のステップ設定４ｃには計数した回数（つまり、３）が記録される。
【００５３】
また、照明器具２のステップ数の３が設定されると、自動照明リモコン１は全灯状態から消灯状態になるまでに必要なリモコンコードＳｘの送信回数は３回であることが分かる。なお、本例では説明を分かりやすくするために、ステップ数の３を記憶するステップ設定４ｃを設けた例を開示しているが、本発明はこれに限られるものではなく、前記サイクル数の４を記憶するようにしてもよい。
【００５４】
前記照明器具のステップ数は照明器具毎に異なるものである。すなわち、例えば『全灯』→『消灯』→『全灯』→『消灯』…を繰り返す照明器具の場合は、サイクル数は２であり、ステップ数は２−１＝１である。
【００５５】
このようにして、ステップ数またはサイクル数が設定されることにより、制御対象である照明器具２に合わせた自動照明リモコン１のプリセット操作を終了する。
【００５６】
なお、使用者が照明器具２をいつも減灯状態で使用する場合には、上述のステップ数を設定するプリセット操作を、減灯状態から全灯状態になるまで繰り返して行うようにすればよい。この場合には、前記照明器具２の場合でステップ数が２になるように設定できる。
【００５７】
あるいは、自動照明リモコン１が使用者による順送りボタン６ｂの操作回数を計数し、サイクル数から順送りボタン６ｂを操作した回数を減算して、消灯状態までに送信するべきリモコンコードＳｘの回数を求めてもよい。
【００５８】
さらに、照明器具の種類によっては一つのリモコンコードによって例えば『全灯』→『減灯』→『豆灯』→『消灯』の各状態に切り換えるような順送り制御を行なうサイクル式照明器具であっても、全灯状態や消灯状態に切り換えるための独立したリモコンコードをそれぞれ別途設けてなるものもある。このような場合には、前記独立したリモコンコードの順送り制御を行なう一つのリモコンコードに関連付けてリモコンコードライブラリ４ａに記録しておくことにより、照明器具２に整合する一つのリモコンコードＳｘが選択できた段階で、この照明器具２に対応して全灯状態や消灯状態に切り換えるための独立したリモコンコードをチャンネル設定４ｂとして設定することも可能である。
【００５９】
このように構成することにより、リモコンコードの整合性は、順送り制御する一つのリモコンコードＳｘによって試すことにより、迅速に見いだすことができると共に、自動照明モードに切り換えられた自動照明リモコン１から送信される消灯命令や点灯命令はそれぞれ独立したリモコンコードを送信することによって確実に行うことができる。
【００６０】
なお、照明器具２が独立したリモコンコードに対応していない場合のために、順送り制御する一つのリモコンコードＳｘを所定の回数送信した後に、独立した消灯命令や点灯命令のリモコンコードを送信するように構成することも考えられる。
【００６１】
また、本例の自動照明リモコン１は本発明の自動照明リモコンの機能を分かりやすく説明するために好適な一例を示すものであるが、その構成は本発明を限定するものではないことは言うまでもない。例えば、上述の例ではプリセットボタン６ａを順送りボタン６ｂとほぼ同じ上面の位置に配置しているが、このプリセットボタン６ａは最初のプリセット操作にしか使わないので、これを裏面や側面などに形成してもよい。また、不本意に押してしまうことがないように自動照明リモコン１の表面と面一になるように設けたり、むしろ少し凹んだ形状にして設けたりしてもよい。また、照度センサ７や表示ＬＥＤ９などの構成も省略してもよい。
【００６２】
【発明の効果】
以上説明したように、本発明の自動照明リモコンによれば、一般的な照明器具に対応するリモートコントローラに人体検知センサを備えさせることにより、人を検知した時に自動的に点灯させる機能を持たせたリモートコントローラを提供すると共に、極めて簡単な操作により、各家電メーカーによってリモコンコードが異なる場合にも容易かつ迅速にこれに対応することができる万能型リモートコントローラを提供することができる。
【００６３】
しかも、消灯操作を行った時点から短い遅れ時間を設けて照明器具を消灯させる機能や、人がいなくなった時点から消し忘れ防止時間を設けて照明器具を消灯させる機能を付加することで、照明器具の不要な点灯を避けて照明器具用のリモートコントローラの機能を飛躍的に向上させることができる。
【図面の簡単な説明】
【図１】  本発明の自動照明リモコンの全体構成を示す図である。
【図２】  前記自動照明リモコンの構成を示すブロック図である
【図３】  前記自動照明リモコンの動作を示す図である。
【符号の説明】
１…自動照明リモコン、２…照明器具、４…記憶部、５…人体検知部、６ａ…設定ボタン、６ｂ…第１ボタン、６ｃ…第２ボタン、Ｈ…人体、Ｌ2 …赤外線、Ｓ1 ，Ｓ2 …一つのリモコンコード，Ｔ1 …切り遅れ時間、Ｔ2 …消し忘れ防止時間。
【図１】
0003971894.tif 000002
【図２】
0003971894.tif 000003
【図３】
0003971894.tif 000004